(57)【要約】【課題】電子ペンで読み取られるためのドットパターンが電子ペン専用用紙に正しく印刷されていることを管理するための印刷物管理マークを提供する。【解決手段】前記課題の目的を達成するために、撮像部を内蔵する電子ペンで読み取られるためのドットパターンが電子ペン専用用紙に正しく印刷されていることを管理するための印刷物管理マークであって、前記印刷物管理マークは、ドットパターンのフィルム原版作成の段階で印刷領域内に形成され、ドットパターンが焼き付けられたフィルム原版の四隅の何れか一箇所に形成され、さらに、印刷物管理マークは、文字，図形，イラスト，切欠きの何れかまたは組み合わせである印刷物管理マークを提供する。【選択図】  図１
2007257160.tif 000002
【特許請求の範囲】
【請求項１】
撮像部を内蔵する電子ペンで読み取られるためのドットパターンが電子ペン専用用紙に正しく印刷されていることを管理するための印刷物管理マークであって、前記印刷物管理マークは、ドットパターンのフィルム原版作成の段階で印刷領域内に形成されたことを特徴とする印刷物管理マーク。
【請求項２】
請求項１に記載の印刷物管理マークにおいて、
印刷物管理マークは、ドットパターンが焼き付けられたフィルム原版の四隅の何れか一箇所に形成されたことを特徴とする印刷物管理マーク。
【請求項３】
請求項１に記載の印刷物管理マークにおいて、
印刷物管理マークは、文字，図形，イラスト，切欠きの何れかまたは組み合わせであることを特徴とする印刷物管理マーク。
r 2セ8c;ＭＳ Ｐゴシック;
【発明の詳細な説明】
【技術分野】
【０００１】
本発明は、印刷物管理マークに関し、詳しくは、電子ペン専用用紙にドットパターンが正しく印刷されていることを確認するための印刷物管理マークに関する。
【背景技術】
【０００２】
従来、申込書、申請書などの各種書類を提出する場合、所定の印刷が施された申込用紙に申込者が筆記具で必要事項を記入して提出していた。
近年では、インターネットで取得した上述の帳票をプリントして、必要事項を記載して郵送で提出したり、表示された帳票に直接データを入力して送信して提出するなど、書類の提出方法の選択肢が広がってきている。
しかし、申込を希望する者がすべて、上述のようにインターネットで検索した帳票をプリントして使用したり、検索した帳票に画面上で直接データを入力して送信し、提出できるわけではない。特に、年配者やパーソナルコンピュータに不慣れな者は、キーボードによる入力に対して先ず拒否反応を示す。
その結果、役所や金融機関などでは、結局、従来から行われている紙の帳票に記載して提出させる方法を残さなければならない。
【０００３】
近年、このような対象者に対して、便利な入力システムが提供されている。それは、スウェーデンの「Ａｎｏｔｏ社」が開発したシステムで、アノトペンと呼ばれる電子ペン（以下、単に、電子ペンという）と所定のドットパターンが印刷された電子ペン専用用紙によって記載した情報をその場で電子化情報とするものである。
電子ペンは、通常の筆記部と、電子ペン専用用紙の記載面に印刷されたドットパターンを読み取るための撮像部と、Ｂｌｕｅｔｏｏｔｈ，または、ＵＳＢ対応の通信部等を搭載している。
電子ペンは、記載者が電子ペン専用用紙の上に電子ペンで文字などを記載すると、ペンの移動に伴って電子ペンの撮像部が電子ペン専用用紙上のドットパターンを読み取り、利用者が記載した文字などの入力データを電子データとして記憶する。記憶したデータは、前記通信ユニットにより、電子ペンから近くのパーソナルコンピュータや携帯電話などの通信端末に送信される。
電子ペンを使用する前述のシステムは、電子ペンがキーボードの役割を果たすために何の抵抗感を抱くことなく使用することができる。
一方、システムを提供する役所や金融機関などでは、電子ペンを使用したシステムによって送信された入力データは、パーソナルコンピュータなどから送信されたデータと同様に扱えるために、入力された情報の再入力を行う必要がなくなる。
【０００４】
前記「Ａｎｏｔｏ社」のシステムにおいて、消耗品としてドットパターンが印刷された電子ペン専用用紙を用意しなければならない。
まず、前記ドットパターンは、印刷の際に特殊なインキを使用するために多くの場合、単独で印刷される。そのためにドットパターン専用の版が用意される。
また、ドットパターンは微細な形状で、周囲断ち切りの形で製版されることが多い。そのために、印刷された後でそれが正しく使用されたか否か判断することは、極めて困難である。
誤って印刷された電子ペン専用用紙を使用すると、記入情報が正しくデータ化できないためにシステム的に使用できなくなる。
【０００５】
印刷物を管理する技術として、「印刷見当マークおよび印刷見当ずれ検出装置」が提供されている（例えば、特許文献１参照）。
特許文献１によれば、ｎを正の整数として、ｎ色の重ね刷り印刷（多色印刷）における印刷見当マークであって、ｎ色の内の１色を基準色とし、その基準色の印刷見当マークを印刷物における（ｎ−１）個所の所定の位置に配置し、他の（ｎ−１）色の印刷見当マークのそれぞれを前記基準色の印刷見当マークのそれぞれに対応させてその近傍に配置する印刷見当マークを提供するとしている。
【０００６】
【特許文献１】特開２００２−１３７３６８号公報
【発明の開示】
【発明が解決しようとする課題】
【０００７】
特許文献１で開示されている技術は、多色印刷時の刷り合わせ精度の向上を主たる目的とするものであり、ドットパターンが電子ペン専用用紙に正しく印刷されていることを管理するための印刷物管理マークとは異なる。
【課題を解決するための手段】
【０００８】
前記課題を解決するために、本発明の印刷物管理マークの第一の態様は、撮像部を内蔵する電子ペンで読み取られるためのドットパターンが電子ペン専用用紙に正しく印刷されていることを管理するための印刷物管理マークであって、前記印刷物管理マークは、ドットパターンのフィルム原版作成の段階で印刷領域内に形成されたことを特徴とするものである。
【０００９】
また、第二の態様は、第一の態様において、印刷物管理マークは、ドットパターンが焼き付けられたフィルム原版の四隅の何れか一箇所に形成されたことを特徴とするものである。
【００１０】
また、第三の態様は、第一の態様において、印刷物管理マークは、文字，図形，イラスト，切欠きの何れかまたは組み合わせであることを特徴とするものである。
【発明の効果】
【００１１】
１）第一の態様のように、撮像部を内蔵する電子ペンで読み取られるためのドットパターンが電子ペン専用用紙に正しく印刷されていることを管理するための印刷物管理マークであって、前記印刷物管理マークは、ドットパターンのフィルム原版作成の段階で印刷領域内に形成されたことによって、製版部門ではプルーフ作製時にプルーフ上のマークが所定の位置にあることを確認することで正しく印刷されていることが確認できる。
しかも、目視で確認することができるために費用が安価でかつ専用デバイス等を使わず、簡単にチェックすることができる。
２）また、第二の態様のように、第一の態様において、印刷物管理マークは、ドットパターンが焼き付けられたフィルム原版の四隅の何れか一箇所に形成されたことによって、印刷物のデザインに合せてマークの位置を自由に選択することができる。
３）また、第三の態様のように、第一の態様において、印刷物管理マークは、文字，図形，イラスト，切欠きの何れかまたは組み合わせであることによって、仮に印刷物の仕上げの内側に印刷する必要が生じたときにも不自然な状態になることを避けることができる。
【発明を実施するための最良の形態】
【００１２】
以下、図面を参照して、本発明の印刷物管理マークについて説明する。
図１は、電子ペンと電子ペン専用用紙と本発明の印刷物管理マークの一例について説明するための図，図２は、本発明の印刷物管理マーク及びこれを使用して管理を行う方法の一例について説明するための図，図３は、図２の一部のドットパターンを拡大した一例について説明するための図，図４は、本発明の印刷物管理マークの一例について説明するための図，図５は、電子ペンの一例について説明するための図，図６は、電子ペン読み取り専用のドットパターンについて説明するための図，である。
【００１３】
図１を参照して、電子ペンと電子ペン専用用紙と本発明の印刷物管理マークの一例について説明する。この項では、電子ペンを使用した前述の「Ａｎｏｔｏ社」のシステムの概要について併せて説明する。
電子ペン専用用紙１には、電子ペン２で記載される面にドットパターン１０が印刷されている。
ドットパターン上に電子ペンで情報を記載したら、チェックボックス１１の中に、チェックマークを記載する。チェックボックス１１は、図１の例では、「通信端末との接続様式別」に設けられている。電子ペン２で電子ペン専用用紙１上に情報を記載し、チェックボックス１１にチェックマークを記載すると、電子ペンに記憶されている記載情報が近くの通信端末に送信されるようになっている。チェックボックス１１は、前記通信端末と電子ペンの接続様式によって「Ｂｌｕｅｔｏｏｔｈ」用と、「ＵＳＢ」用に区別して使用するようになっている。
【００１４】
電子ペン専用用紙１は、情報記載面に、ドットパターン１０だけ印刷されて使用される場合や、図に示すようにチェックボックス１１や、図示しないが文字，罫線などが一緒に印刷されて使用される場合がある。
ドットパターン１０は、電子ペンの撮像部で読み取られ、筆記部で記載された文字や図形がドットパターンのストローク座標情報（以下、単に、座標情報という）として電子化され、記憶部に記憶される。
【００１５】
電子ペン２に使用される光源は、赤外領域の光源である場合が多く、電子ペン読み取り専用のドットパターン１０は、赤外領域で反射率が低いインキによって印刷され、ドットパターンが印刷されている面の、文字，図形，罫線，イラストなどは、赤外領域で反射率が高いインキによって印刷される。
【００１６】
電子ペン専用用紙１の一角、右下のコーナーには「三角マーク」の印刷管理マーク３が印刷されている。
この「三角マーク」は、専用ドットパターンのフィルム原版の右下のベース面に透明ラベル等によって貼付されたマークである。
本実施形態では、電子ペン専用用紙１の仕上げサイズの内側に印刷されているが、仕上げの際に切り落とされる位置に印刷され、印刷物には入らないようにすることもできる。
本実施形態では、本発明の印刷管理マーク３は、フィルム原版の段階から右下に形成された例で説明しており、オフセット（平版）方式により印刷される場合は、「印刷用の刷版」，「印刷物」、いずれも右下に形成されていることが確認されて工程を流れる。
【００１７】
ここで、図１を一部参照して、電子ペンと電子ペン専用用紙を使用する「Ａｎｏｔｏ社」のシステムについて説明する。
電子ペン２は、通常の筆記部と、電子ペン専用用紙１の情報記載面に印刷されたドットパターン１０を読み取るための撮像部（図示せず）と、通信部（図示せず）等を搭載している。
電子ペン２は、記載者が電子ペン専用用紙１の記載面に電子ペンで文字などを記載すると、ペンの移動に伴って電子ペンに内蔵された撮像部が、ドットパターン１０によって表示された座標情報を読み取り、通信部が、接続された通信端末（図示せず）に読み取った座標情報を送信する。
通信端末が受信した前記座標情報は、ネットワークに接続された電子ペンシステム管理サーバ（図示せず）に送信される。電子ペンシステム管理サーバでテキストデータに変換された前記座標データは、利用者側のサーバや、前記通信端末に返信される。
通信端末内に電子ペンシステム管理サーバ機能が内蔵されている場合は、電子ペンシステム管理サーバ機能によってテキストデータに変換される。
【００１８】
先ず、図４を参照して、電子ペン２について説明する。
電子ペン２は、インクカートリッジ２０８を伴った筆記部２０６，ドットパターンを読み取るデジタルカメラによる撮像部２０５，デジタルカメラで読み取られた筆記情報（ドットパターンの座標情報）を記憶する記憶部２０３，携帯通信端末に座標情報を送信する通信部２０２，これらの機能を制御する制御部２０４，電子ペン用の圧力センサ２０７，図示しないが電源部，で構成され、これらを電子ペン２の筐体２０１の内部に搭載している。
電子ペン２は、電子ペン専用用紙に印刷されたドットパターン情報を撮像部２０５で読み取って記憶部２０３で記憶し、図示しないが、電子ペンのユニークな識別情報などと共に通信部２０２から携帯通信端末２に送信する。
通信部２０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
また、電子ペン２の筐体２０１に組み込まれた筆記部２０６は、単なる筆記具として使用することもできるようになっている。
【００１９】
筆記部２０６は、筆記情報を可視状態で記載部に残す役割の他に、デジタルカメラによる撮像部２０５と、ドットパターン印刷面との距離を一定にする役割を担っている。
筆記部２０６が電子ペン筐体２０１に装着されたときに、インクカートリッジ２０８側の先端が、電子ペン筐体２０１に取り付けられた電子ペン用の圧力センサ２０７に接触するようになっている。
この圧力センサ２０７は、情報の記載が開始されることを制御部２０４に伝える機能と、筆圧の強弱を認識する機能を備えている。
また、インクカートリッジ２０８の残量を確認する場合、または、インクを充填する場合は、例えば、筆記部２０６を電子ペン筐体２０１の先端から引き抜いてインクの残量確認、または、インクの充填を行う。
【００２０】
図５を参照して、電子ペン専用用紙に印刷された電子ペン専用のドットパターンについて説明する。図に示す縦横の仮想線は、説明し易くするために記載しており、実際には印刷されていない。
電子ペン読み取り専用のドットパターン１０００の各ドットは、０．３ｍｍ間隔で形成された直角に交わる縦横の仮想線の交点近傍に、それぞれ異なる４方向の何れかに配置され、形成されている。
「Ａｎｏｔｏ社」のシステムでは、３６個のドット（約４ｍｍ2の内側に印刷されたドット群）を１単位情報として扱っている。
【００２１】
電子ペンで、電子ペン専用用紙上に文字等を記載すると、ペン先がどの位置をなぞっているか、その近傍に印刷されたドットパターンの座標情報を読み取って、ペン先が移動した単位情報の軌跡を電子ペンの記憶部に記憶するようになっている。
電子ペン専用用紙の所定部を電子ペンでマークをすると、電子ペン専用用紙に記載した前記座標情報を電子ペンから通信端末の送信するようになっている。
「Ａｎｏｔｏ社」のシステムでは、一つのアプリケーションには、同一のドットパターンが利用されないように管理される。
【００２２】
前述の電子ペンシステム管理サーバについて説明する。
電子ペンシステム管理サーバは、多くの場合、ＰＬＳサーバと、ＡＳＨサーバに分けられて使用される。
通信端末から送信された座標情報は、まず、ＰＬＳ（Ｐａｐｅｒ  Ｌｏｏｋ−ｕｐ  Ｓｅｒｖｉｃｅ）と呼ばれる電子ペンシステム管理サーバに送信される。
ＰＬＳサーバは、受信したドットパターンの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）と座標情報を通信端末に送信する。
【００２３】
前述の通信端末について説明する。
通信端末は、例えば、キーボードなどの入力手段，インターネットに接続されて入力情報を送受信する送受信手段，ディスプレイなどの表示手段，入力情報や読み込んだ情報を保存する保存手段とを有する携帯電話，ＰＤＡ（Ｐｅｒｓｏｎａｌ  Ｄｉｇｉｔａｌ  Ａｓｓｉｓｔａｎｃｅ），パーソナルコンピュータのような装置である。
通信端末は、前述のように、電子ペン２から送信された情報を電子ペンシステム管理サーバに送信し、テキストデータなどに変換された情報として受信し、利用する。
【００２４】
図２を参照して、本発明の印刷物管理マーク及びこれを使用して管理を行う方法の一例について説明する。
図の「Ａ」，「Ｂ」，「Ｃ」，「Ｄ」は、ドットパターンのフィルム原版１００の模式図である。
フィルム原版「Ａ」は、正しい方向を上にした時に、約束によってベース面（ドットパターンが形成されているレジスト形成面の裏面）の右下に、印刷物管理マーク３が、透明ラベル等が貼付されて形成されている。
フィルム原版「Ｂ」は、フィルム原版「Ａ」を左右に裏返してフィルム原版「Ａ」のレジスト面から見た図である。また、フィルム原版「Ｃ」は、フィルム原版「Ａ」を１８０°回転させて上下逆さにし、ベース面から見た図である。また、フィルム原版「Ｄ」は、フィルム原版「Ｃ」を左右に裏返してフィルム原版「Ｃ」のレジスト面から見た図である。
このように、印刷物がオフセットで印刷される場合は、「フィルム原版」，「印刷用の刷版」，「印刷物」いずれも常に「Ａ」の状態になっていなければならない。
【００２５】
図３を参照して、図２のフィルム原版「Ａ」と「Ｃ」の同じ位置を拡大した状態について説明する。
フィルム原版「Ａ」のドットパターン形成部１００１と、フィルム原版「Ｃ」のドットパターン形成部１００２の同じ場所を拡大すると、図３に示すようにドットもパターンが異なっていることがわかる。
フィルム原版「Ｃ」のドットパターン形成部１００２は、フィルム原版「Ａ」のドットパターン形成部が１８０°回転された右下の部分を見ていることがわかる。
【００２６】
図４を参照して、本発明の印刷物管理マークの一例について説明する。
図４のフィルム原版「Ｅ」１０１は、右下のベース面に文字「ＡＢＣ」で表示した印刷物管理マーク３１が貼付された例である。
フィルム原版「Ｆ」１０１は、右下のベース面に図柄「♪」で表示した印刷物管理マーク３２が貼付された例である。
フィルム原版「Ｇ」１０１は、右下部分に切欠き（刷物管理マーク）３３が形成された例である。切欠きの場合は、フィルム原版のベースが切り取られて形成されるために、印刷物管理マークをチェックする際に、「刷版」，「印刷物」の右下部分にドットパターンが形成されていない三角形の部分が存在するか否かを確認しなければならない。
【００２７】
以下に、印刷物管理マークによるドットパターン管理手順について説明する。
この実施形態では、オフセットで印刷された印刷物の右下に楔形の切欠きが印刷物管理マークとして形成された印刷物の例で説明する。
（製版部門）；ドットパターンを透明なフィルム原版上に形成する。フィルム原版のベース面を手前にし、上下の向きが正しいことを確認して、原版の右下の隅に二等辺三角形の楔形のマークを切欠き状に形成する。
フィルム原版の印刷物管理マークが右下になるようにプルーフ（校正刷り）作製用の印刷版を焼き付ける。
（プルーフ作成部門）；プルーフ作製用の印刷版の右下隅に印刷物管理マークが形成されていることを確認し、プルーフを作製する。
（刷版部門）；校了後、フィルム原版に印刷物管理マークが形成されていることを確認し、印刷用の版を作製する。完成された刷版の右下に印刷物管理マークが形成されていることを確認して印刷部門に渡す。
（印刷部門）；刷版部門から渡された版の右下に印刷物管理マークが形成されていることを確認し、印刷機に組み付ける。刷り出し時、印刷物の右下隅に印刷物管理マークが形成されていることを確認する。
【産業上の利用可能性】
【００２８】
電子ペン専用用紙のドットパターンの製版から印刷にいたる工程管理に利用できる。
【図面の簡単な説明】
【００２９】
【図１】電子ペンと電子ペン専用用紙と本発明の印刷物管理マークの一例について説明するための図である。
【図２】本発明の印刷物管理マーク及びこれを使用して管理を行う方法の一例について説明するための図である。
【図３】図２の一部のドットパターンを拡大した一例について説明するための図である。
【図４】本発明の印刷物管理マークの一例について説明するための図である。
【図５】電子ペンの一例について説明するための図である。
【図６】電子ペン読み取り専用のドットパターンについて説明するための図である。
【符号の説明】
【００３０】
１      電子ペン専用用紙
２      電子ペン
３，３１，３２，３３  印刷物管理マーク
１０    ドットパターン
１１    チェックボックス
１００，１０１  ドットパターンフィルム原版
２０１  筐体
２０２  通信部
２０３  記憶部
２０４  制御部
２０５  撮像部
２０６  筆記部
２０７  圧力センサ
２０８  インクカートリッジ
１０００  ドットパターン
１００１，１００２  ドットパターン形成部
【図１】
2007257160.tif 000003
【図２】
2007257160.tif 000004
【図３】
2007257160.tif 000005
【図４】
2007257160.tif 000006
【図５】
2007257160.tif 000007
【図６】
2007257160.tif 000008